(57)【要約】【目的】システムが配置される場所を利用する人に有効な広告を配信し、広告主への集客効果を高めることができる情報表示システムを提供すること。【構成】計画的に配信される情報が少なくとも記録されている情報蓄積手段と、ディスプレイ等の情報表示手段と、集団の映像を入力するための第１の映像入力手段と、該映像入力手段から入力された映像から集団の有り無しを判定する集団検知判定手段と、広告主等の映像入力するための第２の映像入力手段が少なくともネットワークに接続され、該集団検知判定手段は集団が無いと判定したとき、該情報蓄積手段に記録されている計画的に配信される情報を該情報表示手段に出力すべくネットワークを制御し、集団が有ると判定したときに第２の映像入力手段からの情報を該情報表示手段に出力すべくネットワークを制御する。【選択図】      図１
2004252322.tif 000002
【特許請求の範囲】
【請求項１】
ディスプレイ等の情報表示手段に情報を表示するシステムであって、
第１の映像入力手段から入力された人の集団検知情報に基づき、ハードディスク等の情報蓄積手段から計画的に配信される情報又は第２の映像入力手段からの情報が任意に選択されて該情報表示手段に表示されることを特徴とする情報表示システム。
【請求項２】
計画的に配信される情報が少なくとも記録されている情報蓄積手段と、ディスプレイ等の情報表示手段と、集団の映像を入力するための第１の映像入力手段と、該映像入力手段から入力された映像から集団の有り無しを判定する集団検知判定手段と、広告主等の映像入力するための第２の映像入力手段が少なくともネットワークに接続され、該集団検知判定手段は集団が無いと判定したとき、該情報蓄積手段に記録されている計画的に配信される情報を該情報表示手段に出力すべくネットワークを制御し、集団が有ると判定したときに第２の映像入力手段からの情報を該情報表示手段に出力すべくネットワークを制御することを特徴とする情報表示システム。
【請求項３】
前記集団検知判定手段は、第１の映像入力手段から入力される信号のパターンを一定時間ごとに比較し、差分が規定値を超えたときに集団があると判定し通知することを特徴とする請求項１又は２記載の情報表示システム。
【請求項４】
前記集団検知判定手段は、第１の映像入力手段から入力される映像の１フレーム分を複数に分割し、分割された映像ごとに予め登録されている映像と比較し、両者の差異の有る該分割された映像の数が規定数を超えたときに集団があると判定し通知することを特徴とする請求項１又は２記載の情報表示システム。
【請求項５】
前記情報表示手段は複数あり、前記集団検知判定手段からの情報に基づき前記情報蓄積手段に記録されている計画的に配信される情報と第２の映像入力手段からの情報を任意の情報表示手段に表示することを特徴とする請求項１又は２記載の情報表示システム。
【発明の詳細な説明】
【０００１】
【発明の属する技術分野】
本発明は、ディスプレイ等の情報表示手段に情報を表示する情報表示システムに関するものである。
【０００２】
【従来の技術】
商品、サービス等の広告媒体としてはテレビ、ラジオ、雑誌、チラシ、ポスター、インターネット等があり、費用と効果に応じてそれぞれ利用されている。
【０００３】
最近では人通りの多い繁華街のビル壁面に大画面ディスプレイを設置し、それに広告を出すサービスも増えてきている。これらは媒体使用料が高いため主に大企業が利用している。
【０００４】
一方、キオスク端末等の個々の人に情報を提供する端末も駅前等に設置されるようになり、その端末からは大企業の広告に限らず地域の様々な情報が引き出されるようになってきている。
【０００５】
【発明が解決しようとする課題】
前記大画面ディスプレイが設置される場所は、人通りが多く、待ち合わせに適した広場があり、且つ、横断歩道の前にあるビルの壁面が適している。このような場所では広告提供者が努力しなくても常に大勢の人がいて自然とその広告に目をやるので広告宣伝効果が非常にあると言える。
【０００６】
しかしながら、そのような立地条件の良い場所は大都市の一部しかなく、そのような場所での広告費用はテレビのコマーシャルと同様に高価であり、商店等の中小企業或は個人が広告を出せるようなものではない。
【０００７】
今後、商店、個人等が気軽に広告を出せるような地域の広告システムが必要とされており、それを実現するためには地域で最も人通りの多いと思われる駅或は駅周辺にそのようなシステムを配置することが望ましいが、ただ計画的に広告を流していては人が見ていないときにも広告料を支払うことになり、広告主の費用負担が大きくなるという問題点がある。又、通勤等で急いでいる人の足を止めるような方策を考え出さなければならないという課題があった。
【０００８】
１つの方策として、人が少ないときと多いときで広告内容を変更するという方法がある。或は人が少ないときと多いときで広告料金を変更することも考えられる。これを実現するためには人を検知する必要があり、特開平１０−１２７９０４号等、多くの人検知方法が知られているが、何れも１人の人又は動くものを検知するというもので人の多い少ないを判断するものはなかった。
【０００９】
本発明は上記問題に鑑みてなされたもので、その目的とする処は、システムが配置される場所を利用する人に有効な広告を配信し、広告主への集客効果を高めることができる情報表示システムを提供することにある。
【００１０】
【課題を解決するための手段】
上記目的を達成するため、ディスプレイ等の情報表示手段に情報を表示するシステムにおいて、第１の映像入力手段から入力された人の集団検知情報に基づき、ハードディスク等の情報蓄積手段から計画的に配信される情報又は第２の映像入力手段からの情報が任意に選択されて該情報表示手段に表示されることを特徴とする。
【００１１】
又、本発明は、計画的に配信される情報が少なくとも記録されている情報蓄積手段と、ディスプレイ等の情報表示手段と、集団の映像を入力するための第１の映像入力手段と、該映像入力手段から入力された映像から集団の有り無しを判定する集団検知判定手段と、広告主等の映像入力するための第２の映像入力手段が少なくともネットワークに接続され、該集団検知判定手段は集団が無いと判定したとき、該情報蓄積手段に記録されている計画的に配信される情報を該情報表示手段に出力すべくネットワークを制御し、集団が有ると判定したときに第２の映像入力手段からの情報を該情報表示手段に出力すべくネットワークを制御することを特徴とする。
【００１２】
【発明の実施の形態】
以下に本発明の実施の形態を添付図面に基づいて説明する。
【００１３】
＜実施の形態１＞
図１は本発明の情報表示システムの構成を示す図である。
【００１４】
図１において、１０１は情報蓄積手段であるところの映像サーバ、１０２は情報表示手段であるところのディスプレイ、１０３は第１の映像入力手段であるところのビデオカメラ、１０４は集団検知判定手段であるところの映像制御部、１０５は１０１〜１０４間で通信を行うためのネットワーク装置、１０６は第２の映像入力手段であるところのビデオカメラである。
【００１５】
映像サーバ１０１は、ハードディスク等の記録媒体を持つ蓄積装置であり、予め広告等の映像が多数記録されている。
【００１６】
ディスプレイ１０２は、駅構内の人の目に触れ易い場所に配置され、映像サーバ１０１から送られた映像を表示する。
【００１７】
第１のビデオカメラ１０３は、ディスプレイ１０２付近に設置され、辺りの映像を取り込んで映像制御部１０４へ送信する。
【００１８】
映像制御部１０４は、送られた信号パターンを解析し、集団の有り無しを判定して判定結果によりネットワーク装置１０５を制御する。図３を用い集団の有り無し判定方法を説明する。
図３（ａ）〜（ｃ）はビデオカメラ１０３が撮影している構内の様子で順に人が多くなっている。駅構内は通常人がまばらであり、（ａ）のような状態であるため、画面の一部にしか変化がなく、長時間ある特定の信号パターンが継続し、一定時間毎の信号パターンの変化量は少ない。
【００１９】
一方、電車が到着すると多くの人が駅構内を通り抜けるため短時間で（ｃ）のような状態になり、画面全体の信号パターンの（ａ）からの変化量は大きい。（ａ）から（ｂ）への変化量は少ないが、（ａ）から（ｃ）への変化量は大きいので例えば基準値を（ｂ）と（ｃ）の間に設け、一定時間毎の変化量が（ａ）から基準値までよりも大きければ集団が来たと判定し、変化量が小さければ集団が来てないと判定することができる。尚、映像制御部１０４は通常ネットワーク管理パソコンがその役割を果たす。
【００２０】
ネットワーク装置１０５は、１０１〜１０４間を光ファイバ又はツイストペアケーブル等で接続し、映像信号又は制御信号を必要な相手先に伝送している。
【００２１】
第２のビデオカメラ１０６は、広告主付近に設置され、辺りの映像を取り込んでディスプレイ１０２へ表示する。
【００２２】
尚、映像サーバ１０１、ディスプレイ１０２、ビデオカメラ１０３，１０６、映像制御部１０４はネットワーク装置１０５に接続する通信インタフェイスを有しているか、或はパソコン等を介してネットワーク装置１０５に接続されるものである。
【００２３】
本システムは、例えば駅構内に配置されることが望ましく、駅を利用する人に情報を提供することで広告主である駅周辺のデパート、商店へ客を導くことを目的としている。駅では電車の到着時に駅構内の人通りが多くなり、その他の時間は閑散としていることが多い。効率的に集客をするためには人のいない時間に例えば音楽等を利用して人集めを目的とした情報を流し、人がいる時間には宣伝を目的とした情報を流すことが望ましい。本システムは効果的にそれを実現している。
【００２４】
大きな駅にはその電鉄系デパートが隣接していることが多く、その電鉄にとっては駅利用客をデパートへ呼び込みたい要求がある。本システムでは有効な情報表示を行うため、先ず、駅構内の人の様子をビデオカメラ１０３で取り込み、ネットワーク装置１０５を介して映像制御部１０４に送り、人が多いかどうかを判断する。駅では電車が到着したときに多くの人の流れができるため、その人達へ向けて広告主が直接呼びかけることが集客上有効と考えられる。
【００２５】
しかしながら、宣伝用のアルバイトを雇っていては人件費が掛かるので、集団を検知し広告主がビデオカメラを通して直接呼び掛ければ、人の目を引き通勤客の足を止めることができる。集団の判断方法は前述したように取り込んだ映像の信号パターンの変化量を検出することで判定できる。
【００２６】
映像制御部１０４は、この判定結果によりネットワーク装置１０５を制御する。人通りの少ないときは映像サーバ１０１に記録されているコンテンツをディスプレイ１０２に表示するべくネットワーク装置１０５及び映像サーバ１０１を制御し、集団を検知したらビデオカメラ１０６からの映像をディスプレイ１０２に表示すべくネットワーク装置１０５及びビデオカメラ１０６を制御する。
【００２７】
ビデオカメラ１０６が選択された場合は広告主がビデオカメラに向かって宣伝内容をしゃべれば良い。ビデオカメラ１０６が選択されるのは人の流れがディスプレイ前に差し掛かるタイミングで選択するようにすると、効果的に一部の人の足を止めることができる。一定時間ビデオカメラ１０６が選択された後は映像サーバ１０１から計画的に配信される情報に切り替えられて放映される。
【００２８】
このようにすると、図１のＡ地点にいる集団が通常はＣ方向に向かうところ、ディスプレイ前Ｂを通り掛かる段階で広告主からの宣伝を見聞きすることで、一部の人を広告主方面Ｄへ導くことができる。
【００２９】
＜実施の形態２＞
図２は実施の形態２のシステム構成を示す図であり、ディスプレイを複数使用し、実施の形態１よりも更に有効な情報表示を行うものである。
【００３０】
図２において、２０１，２０２は第２、第３のディスプレイ、２０３は第３のビデオカメラであり、その他は実施の形態１と同じである。第１、第２、第３のディスプレイ１０２，２０１，２０２は人の流れに沿って配置される。例えば、第２のディスプレイ２０１はホームの階段付近、第１のディスプレイ１０２は改札付近、第３のディスプレイ２０２は広告主近辺に配置される。
【００３１】
電車から降りた客の流れは第２、第１、第３のディスプレイの前を順に通り過ぎるとする。このとき、実施の形態１のように計画的に配信されている情報に割り込んで特売情報等の広告主が直接呼びかける形でディスプレイに表示する。但し、１つの広告宣伝情報量は通常数十秒あるため、歩いている人に全ての情報を伝えることは困難である。
【００３２】
そこで、第２のディスプレイ２０１には大まかな情報を、第１、第３のディスプレイ１０２，２０２には順に詳細な情報を配信することが好ましい。具体的には、例えば第２のディスプレイには予め制作されている広告映像を映像サーバ１０１から配信し、第１、第３のディスプレイ１０２，２０２には広告主１、広告主２のところに配置されている第２、第３のビデオカメラ１０６，２０３からの映像を配信し、集団に呼び掛ければ良い。
【００３３】
尚、ビデオカメラ１０３は第２のディスプレイ２０１付近に配置し、予め人の流れが第１、第３のディスプレイ前を通る時間を測定しておき、人の流れがそれぞれのディスプレイ前を通り掛かる時間に第２、第３のビデオカメラ映像に切り替えれば良い。又は、第１、第３のディスプレイ付近にも集団検知用のビデオカメラを設置し、集団を検知した段階で第２、第３のビデオカメラ映像を表示するようにしても良い。但し、第３のディスプレイ前は第２、第１のディスプレイ前よりも人の数が少ないため、第３のディスプレイ前での集団検知の基準値を第２、第１のディスプレイ前よりも低く設定する必要がある。
【００３４】
このようにすると、図２のＡ地点にいる集団が通常はＣ方向に向かうところ、ディスプレイ前Ｂを通り掛かる段階で割込配信コンテンツを提供することで、一部の人を広告主方面Ｄへ導くことができ、更に広告主１又は広告主２へ導くことができる。
【００３５】
尚、映像サーバ１０１からの映像とビデオカメラ１０６，２０３からの映像は、前記ディスプレイに必ずしも表示する必要はなく、効果的に利用すべく任意に設定すれば良い。
【００３６】
＜実施の形態３＞
実施の形態１では、集団が通る場所にディスプレイを配置して広告配信を行う例を示した。本システムでは集団が通るかどうか分からない場所にも適用できる。
【００３７】
実施の形態１で説明したように通常は計画的に配信される計画配信コンテンツがディスプレイに表示される。計画配信コンテンツは、例えばテレビＣＭのように長期的に広告宣伝を行い、長期間掛けて商品、企業名等を周知させる目的のものや、人集めを目的として音楽等、人の興味を引く情報を配信したりする。例えばミュージックアーティストの映像を流し続ければそれに興味を持つ人たちがディスプレイ前に集まってくることが考えられる。
【００３８】
大勢が集まったところで広告主からのカメラ映像に切り替えて宣伝等を行えば、一部の人を広告主の方へ導くことができる。但し、人は徐々に集まってくるので実施の形態１のように単位時間当たりの変化量を検出する方法では変化量が少なく人が集まったことを検出できない。よって、別の集団検出方法を図４で説明する。
【００３９】
図４（ａ）〜（ｃ）はビデオカメラ１０３がディスプレイ１０２の前を撮影している様子で順に人が多くなっている。映像制御部１０４では入力映像を１６個に分割してそれぞれの領域ごとに人の有り無しを判定する。人が映ってない部分は動きが無いため固定パターンが検出される。この人がいないときの固定パターンを１６箇所で登録しておけば、そのパターンと異なるときはその領域に人がいると判定できる。
【００４０】
（ａ）では３箇所、（ｂ）では９箇所、（ｃ）では１４箇所に人の一部が映っているので、例えば１２箇所以上に人の一部が検出されれば大勢人が集まっていると判定し、広告主のビデオカメラ映像に切り替えれば良い。
【００４１】
このようにすると、ディスプレイ前Ｂに集まった多くに人に有効な広告を配信することができ、一部の人を広告主方面Ｄへ導くことができる。
【００４２】
尚、本実施の形態の集団検知方法を実施の形態１又は２の集団検知方法に適用しても良い。
【００４３】
【発明の効果】
以上説明したように、このシステムが配置される場所を利用する人に有効な広告を配信し、広告主への集客効果を高めることができる。
【００４４】
又、無駄な時間に広告を配信しないので、広告主の広告負担費用を削減できる。
【００４５】
更に、人手を使うことなく人手を使ったのと同様な効果を生むので、人件費が節約できる。
【図面の簡単な説明】
【図１】本発明の実施の形態１に係るシステム構成を示す図である。
【図２】本発明の実施の形態２に係るシステム構成を示す図である。
【図３】本発明の実施の形態１の集団検知方法を説明する図である。
【図４】本発明の実施の形態３の集団検知方法を示す図である。
【符号の説明】
１０１    映像サーバ
１０２，２０１，２０２  ディスプレイ
１０３，１０６，２０３  ビデオカメラ
１０４    映像制御部
１０５    ネットワーク装置
【図１】
2004252322.tif 000003
【図２】
2004252322.tif 000004
【図３】
2004252322.tif 000005
【図４】
2004252322.tif 000006